(57)【要約】【課題】スタンド部材を紛失するおそれがなく、かつ、まな板本体を立てた際に倒れ難いスタンド付まな板を提供すること。【解決手段】スタンド部材１３におけるまな板本体１１側の側面の長手方向には、スタンド部材押さえ具１２ｂの中太軸部１２ｂ１の外径と同一の溝幅の軸スライド用長孔部１３１が設けられている一方、スタンド部材１３におけるまな板本体１１側と反対側の側面の長手方向には、スタンド部材押さえ具１２ｂの正方形状頭部１２ｂ２の辺とほぼ同一の溝幅であって、軸スライド用長孔部１３１と平行にその正方形状頭部１２ｂ２をスライドさせる頭部スライド用長孔部１３２が設けられており、その頭部スライド用長孔部１３２の一部にスタンド部材押さえ具１２ｂを中心にしてスタンド部材１３が回転できるように頭部スライド用長孔部１３２の溝幅よりも大きい内径を有する頭部回転用凹部１３３が設けられている。【選択図】図３
2014204890.tif 000002
【特許請求の範囲】
【請求項１】
長辺と短辺とを有するほぼ長方形状のまな板本体にスタンド部材を取り付け、まな板本体を使用しない場合にはスタンド部材によってまな板本体を立てることができるようにしたスタンド付まな板であって、
まな板本体の長辺側または短辺側の側面には、固定ネジのネジ部が貫通する中太の中太軸部と、その中太軸部の外径より長い辺を有し、かつ、正面視が正方形状の直方体に形成された正方形状頭部とを有するスタンド部材押さえ具によってスタンド部材が取り付けられており、
前記スタンド部材における前記まな板本体側の側面の長手方向には、前記スタンド部材押さえ具の中太軸部の外径とほぼ同一の溝幅の軸スライド用長孔部が設けられている一方、前記スタンド部材における前記まな板本体側と反対側の側面の長手方向には、前記スタンド部材押さえ具の正方形状頭部の辺とほぼ同一の溝幅であって、前記軸スライド用長孔部と平行にその正方形状頭部をスライドさせる頭部スライド用長孔部が設けられていると共に、その頭部スライド用長孔部の一部には前記スタンド部材押さえ具を中心にして前記スタンド部材が回転できるように前記頭部スライド用長孔部の溝幅よりも大きい内径を有する頭部回転用凹部が設けられていることを特徴とするスタンド付まな板。
【請求項２】
請求項１記載のスタンド付まな板において、
まな板本体の長辺または短辺側の側面には、前記スタンド部材の収容時に前記スタンド部材がまな板本体の長辺および短辺から突出せずに収容されるスタンド収容切欠部が設けられている一方、
前記スタンド部材の軸スライド用長孔部には、前記スタンド部材が前記スタント収容切欠部に収容状態にあって前記スタンド部材押さえ具が初期ピン位置にある場合に、前記スタンド部材が前記スタンド収容切欠部から勝手にスライドしないように前記スタンド部材押さえ具に当接するスライド防止用凸部が設けられていることを特徴とするスタンド付まな板。
【請求項３】
請求項１または請求項２記載のスタンド付まな板において、
前記スタンド部材押さえ具は、中太軸部の正方形状頭部の反対側にその中太軸部の外径より大きい辺を有する正面視が長方形状の直方体に形成された長方形状挿入部を有し、
さらに、前記スタンド部材押さえ具の長方形状挿入部とほぼ同一形状で長方形状挿入部が嵌入される長方形状挿入部用凹部が形成されたスタンド部材受け具がスタンド収容切欠部に埋設されることを特徴とするスタンド付まな板。
【請求項４】
請求項１〜請求項３記載のスタンド付まな板において、
前記スタンド部材のスタンド部材押さえ具は、まな板本体の長辺側の側面の角部に設けられていることを特徴とするスタンド付まな板。
【請求項５】
請求項１〜請求項４のいずれか一の請求項に記載のスタンド付まな板において、
前記スタンド部材における前記まな板本体側の側面とは反対側の設置面の長手方向の両側には、側面浮かし用凸部が設けられていることを特徴とするスタンド付まな板。
【発明の詳細な説明】
【技術分野】
【０００１】
本発明は、長辺と短辺とを有するほぼ長方形状のまな板本体にスタンド部材を取り付け、まな板本体を使用しない場合にはスタンド部材によってまな板本体を立てることができるようにしたスタンド付まな板に関する。
【背景技術】
【０００２】
まな板を使用しない時に、まな板本体の調理面を早く乾かしたり、その調理面を調理台面に接触しないよう、スタンド部材によってまな板本体を立てることができるスタンド付まな板が提案されている。このようなスタンド付まな板としては、例えば、スタンド部材がまな板本体から着脱式のものや（例えば、特許文献１〜３参照。）や、スタンド部材がまな板本体に対し回転式のもの（例えば、特許文献４〜７参照。）が提案されている。
【先行技術文献】
【特許文献】
【０００３】
【特許文献１】特開昭５７−８４０２１号公報
【特許文献２】特開２００３−３８３６６号公報
【特許文献３】特開２００３−３８３６７号公報
【特許文献４】特開２００７−１４７３１号公報
【特許文献５】実用新案登録第３０５６７８６号公報
【特許文献６】実用新案登録第３１３８９８０号公報
【特許文献７】実用新案登録第３１４９３９６号公報
【発明の概要】
【発明が解決しようとする課題】
【０００４】
しかし、前述の特許文献１〜３に記載されたスタンド部材が着脱式のスタンド付まな板の場合、まな板本体を立てる場合には、逐一、まな板本体の底辺側にスタンド部材を取り付けて使用するため、スタンド部材を紛失するおそれがあるという問題がある。
【０００５】
また、前述の特許文献４〜７に記載されたスタンド部材が回転式のスタンド付まな板の場合、スタンド部材を紛失するおそれはなくなるものの、まな板本体を立てる場合には、まな板本体使用時にはまな板本体と面一であったスタンド部材をユーザーが適当な角度に回転させる構成になっているため、まな板本体に対するスタンド部材の角度が９０度にならず、スタンド部材を回転させてまな板本体を立てた際に、まな板本体が倒れ易いという問題もあった。
【０００６】
なお、台所や調理台の上は、まな板だけでなく、鍋等の調理器具や食器等が数多く置かれ、スペースが狭いため、まな板本体を臨機応変に短辺側を底面にして置いたり、あるいは長辺側を底面にして置きたいという要求もある。
【０００７】
そこで、本発明は、このような従来技術の問題に着目してなされたもので、第１には、スタンド部材を紛失するおそれがなく、かつ、まな板本体を立てた際に倒れ難いスタンド付まな板を提供すること、第２には、さらに、まな板を使用しない場合には、ユーザーの好みに応じて短辺側側面または長辺側側面を底面にして立てることができるスタンド付まな板を提供することを目的とする。
【課題を解決するための手段】
【０００８】
前記課題を解決するため、本発明のスタンド付まな板は、長辺と短辺とを有するほぼ長方形状のまな板本体にスタンド部材を取り付け、まな板本体を使用しない場合にはスタンド部材によってまな板本体を立てることができるようにしたスタンド付まな板であって、まな板本体の長辺側または短辺側の側面には、固定ネジのネジ部が貫通する中太の中太軸部と、その中太軸部の外径より長い辺を有し、かつ、正面視が正方形状の直方体に形成された正方形状頭部とを有するスタンド部材押さえ具によってスタンド部材が取り付けられており、前記スタンド部材における前記まな板本体側の側面の長手方向には、前記スタンド部材押さえ具の中太軸部の外径とほぼ同一の溝幅の軸スライド用長孔部が設けられている一方、前記スタンド部材における前記まな板本体側と反対側の側面の長手方向には、前記スタンド部材押さえ具の正方形状頭部の辺とほぼ同一の溝幅であって、前記軸スライド用長孔部と平行にその正方形状頭部をスライドさせる頭部スライド用長孔部が設けられていると共に、その頭部スライド用長孔部の一部には前記スタンド部材押さえ具を中心にして前記スタンド部材が回転できるように前記頭部スライド用長孔部の溝幅よりも大きい内径を有する頭部回転用凹部が設けられていることを特徴とする。
ここで、まな板本体の長辺または短辺側の側面には、前記スタンド部材の収容時に前記スタンド部材がまな板本体の長辺および短辺から突出せずに収容されるスタンド収容切欠部が設けられている一方、前記スタンド部材の軸スライド用長孔部には、前記スタンド部材が前記スタント収容切欠部に収容状態にあって前記スタンド部材押さえ具が初期ピン位置にある場合に、前記スタンド部材が前記スタンド収容切欠部から勝手にスライドしないように前記スタンド部材押さえ具に当接するスライド防止用凸部が設けられていると良い。
また、前記スタンド部材押さえ具は、中太軸部の正方形状頭部の反対側にその中太軸部の外径より大きい辺を有する正面視が長方形状の直方体に形成された長方形状挿入部を有し、さらに、前記スタンド部材押さえ具の長方形状挿入部とほぼ同一形状で長方形状挿入部が嵌入される長方形状挿入部用凹部が形成されたスタンド部材受け具がスタンド収容切欠部に埋設されるとさらに良い。
また、前記スタンド部材のスタンド部材押さえ具は、まな板本体の長辺側の側面の角部に設けられていても良い。
また、前記スタンド部材における前記まな板本体側の側面とは反対側の設置面の長手方向の両側には、側面浮かし用凸部が設けられているとさらに良い。
と良い。
【発明の効果】
【０００９】
本発明のスタンド付まな板では、まな板本体を使用せず立てる場合には、スタンド部材を、その長手方向に軸スライド用長孔部および頭部スライド用長孔部に沿ってスライドさせて、スタンド部材押さえ具の正方形状頭部が頭部回転用凹部に達したらスタンド部材押さえ具を中心に９０度回転させ、再度、その長手方向に軸スライド用長孔部および頭部スライド用長孔部に沿ってスライドさせてスタンド部材押さえ具の正方形状頭部が頭部スライド用長孔部に位置した時点で止める。
これにより、スタンド部材はまな板本体に対しスライドおよび回転のみの移動となるので、スタンド部材を紛失するおそれがなくなると共に、まな板本体を立てる際には常にスタンド部材がまな板本体の長辺側または短辺側の側面に対し９０度の角度になるため、倒れ難いスタンド付まな板を提供することができる。
【図面の簡単な説明】
【００１０】
【図１】（ａ）〜（ｃ）それぞれ、本発明に係る実施形態１のスタンド付まな板の正面図、底面図、左側面図である。
【図２】（ａ）〜（ｃ）それぞれ、図１（ａ）におけるＡ部分の拡大正面図、拡大底面図、拡大左側面図である。
【図３】スタンド部材取付け具の分解断面図である。
【図４】（ａ），（ｂ）それぞれ、スタンド部材押さえ具の平面図、正面図である。
【図５】（ａ）〜（ｄ）それぞれスタンド部材の平面図、正面図、底面図、Ｂ−Ｂ線断面図である。
【図６】（ａ）〜（ｄ）それぞれまな板本体を立てるためスタンド部材をスライドおよび回転させる際の手順を示す面図である。
【図７】実施形態１のスタンド付まな板においてスタンド部材をまな板本体の長辺側側面に対し９０度回転させて流し台の表面に立てた状態を示す図である。
【図８】図６におけるＦ部分の拡大正面図である。
【図９】（ａ），（ｂ）それぞれ、本発明に係る実施形態２のスタンド付まな板の正面図、底面図である。
【図１０】（ａ），（ｂ）それぞれ、図８（ａ）におけるＧ部分の拡大正面図、拡大底面図である。
【図１１】（ａ）〜（ｄ）それぞれ実施形態２のスタンド付まな板においてまな板本体を立てるためスタンド部材をスライドおよび回転させる際の手順を示す面図である。
【図１２】実施形態２のスタンド付まな板においてスタンド部材をまな板本体の長辺側側面に対し９０度回転させて、長辺側側面を底面にして流し台の上面に立てた状態を示す図である。
【図１３】実施形態２のスタンド付まな板においてスタンド部材をまな板本体の長辺側側面に対し９０度回転させて、短辺側側面を底面にして流し台の上面に立てた状態を示す図である。
【発明を実施するための形態】
【００１１】
以下、本発明に係るスタンド付まな板の実施の形態１，２を、添付図面を参照しながら詳細に説明する。
【００１２】
実施の形態１．
実施形態１のスタンド付まな板１は、図１〜図３に示すように、長辺側側面１１ａと短辺側側面１１ｂとを有するほぼ長方形状のまな板本体１１に、スタンド部材取付け具１２によってスタンド部材１３を取り付けて構成されており、まな板本体１１を使用しない場合には、後述する図７に示すようにスタンド部材１３によってまな板本体１１を立てることができるようにしたものである。なお、このまな板本体１１は、ポリエチレン製等の合成樹脂製で構成されているが、木製等でもかまわない。
【００１３】
まな板本体１１は、図１上、下方の短辺側側面１１ｂ側に、開口部１１ｃを設けて把持部としている。
【００１４】
また、まな板本体１１の表面（上側面）や裏面（下側面）、さらには長辺側側面１１ａと短辺側側面１１ｂ側の側面から出っ張らないように、まな板本体１１の長辺側側面１１ａの側面の一部を切欠いてスタンド収容切欠部１１ｅを設け、スタンド部材１３を使用しない場合には、図１〜図３に示すようにスタンド収容切欠部１１ｅにスタンド部材１３を収容させている。そのため、スタンド部材１３は、図１〜図３に示すように、スタンド収容切欠部１１ｅの大きさ及び形状に応じた大きさ及び形状としている。なお、本実施形態では、スタンド部材１３を長辺側側面１１ａに設けており、図１に示すようにスタンド部材１３を収容するスタンド収容切欠部１１ｅを長辺側側面１１ａに設けているが、短辺側側面１１ｂにスタンド収容切欠部１１ｅを設けてスタンド部材１３を設けるようにしても良い。
【００１５】
そして、この実施形態１では、図３に示すように、スタンド収容切欠部１１ｅにおける長辺側側面１１ａと短辺側側面１１ｂの角部から離間した位置に穴部１１ｄを形成し、その穴部１１ｄにスタンド部材取付け具１２を構成する固定ネジ１２ａを挿入してスタンド部材１３を取り付けている。
【００１６】
スタンド部材取付け具１２は、図３等に示すように、固定ネジ１２ａと、スタンド部材押さえ具１２ｂと、スタンド部材受け具１２ｃとから構成されている。
【００１７】
固定ネジ１２ａは、例えば、錆び難いＳＵＳ３０４等のステンレス製のネジである。
【００１８】
スタンド部材押さえ具１２ｂは、固定ネジ１２ａと同様に錆び難いＳＵＳ３０３等のステンレス製で形成されており、図３や図４に示すように、固定ネジ１２ａのネジ部１２ａ１が貫通する太さを有し、断面が球形状または円形状の中太の中太軸部１２ｂ１と、その中太軸部１２ｂ１の外径より大きい辺を有する正面視が正方形状の直方体に形成された正方形状頭部１２ｂ２と、その中太軸部１２ｂ１の外径より大きい辺を有する正面視が長方形状の直方体に形成された長方形状挿入部１２ｂ３とを有する。
【００１９】
スタンド部材押さえ具１２ｂの正方形状頭部１２ｂ２は、図２（ｂ）や図４（ａ）等に示すように正面視が正方形状の直方体に形成されているため、正方形状頭部１２ｂ２の各辺がまな板本体１１の平面および側面１１ａ，１１ｂに対し平行になるように取り付ければ、後述するようにスタンド部材１３を使用しないときにはまな板本体１１に対しより確実に平行に収容できると共に、スタンド部材１３を使用してまな板本体１１を立てる場合には、スタンド部材１３をまな板本体１１に対し確実に９０度の角度に設定できる。
【００２０】
また、スタンド部材押さえ具１２ｂの正方形状頭部１２ｂ２には、図４（ａ），（ｂ）等に示すように固定ネジ１２ａのネジ頭部１２ａ２が露出したまま埋まるネジ頭部埋込み凹部１２ｂ２１を有する。これにより、経年変化によりまな板本体１１に対するスタンド部材押さえ具１２ｂの固定が緩んできた場合でも、固定ネジ１２ａのネジ頭部１２ａ２が露出しているため、簡単に増し締めして、まな板本体１１に対するスタンド部材押さえ具１２ｂの緩みを修正することができる。
【００２１】
スタンド部材受け具１２ｃは、例えば、ＳＰＣＣクロームメッキ仕上げやスタンド部材１３と同様にＰＡ−６６ナイロン等の合成樹脂で成形されており、図３に示すようにスタンド収容切欠部１１ｅの穴部１１ｄの上部に形成されたスタンド部材受け具収容部１１ｆに埋設される。スタンド部材受け具１２ｃは、スタンド部材押さえ具１２の固定ネジ１２ａが挿入される貫通孔１２ｃ１と、スタンド部材押さえ具１２ｂの長方形状挿入部１２ｂ３が嵌入される長方形状挿入部１２ｂ３と同一形状の正面視が長方形状の長方形状挿入部用凹部１２ｃ２が形成されている。
【００２２】
これにより、スタンド部材受け具１２ｃの長方形状挿入部用凹部１２ｃ２に正面視長方形で同一形状のスタンド部材押さえ具１２ｂの長方形状挿入部１２ｂ３が嵌入されるため、スタンド部材受け具１２ｃに対しスタンド部材１３を回転させた際に、スタンド部材受け具１２ｃがスタンド部材１３と共に回ることを確実に防止できる。
【００２３】
スタンド部材１３は、例えば、ポリカーボネートやＰＡ−６６ナイロン等の合成樹脂で成形されており、まな板本体１１を使用しない場合にはスライドおよび９０度回転させることによってまな板本体１１を立てるもので、図５（ａ）〜（ｄ）等に示すように、まな板本体１１側となる上側面１３ａと、長側面１３ｂと、まな板本体１１を立てる際に床側となる底側面１３ｃと、左短側面１３ｄおよび右短側面１３ｅとを有する。
【００２４】
また、スタンド部材１３におけるまな板本体１１側となる上側面１３ａの長手方向には、図５（ａ）に示すようにスタンド部材押さえ具１２ｂの中太軸部１２ｂ１の外径ｒ（図４（ｂ）参照。）と同一の溝幅ｗ１（＝ｒ）の軸スライド用長孔部１３１が設けられている一方、スタンド部材１３におけるまな板本体１１側と反対側の底側面１３ｃの長手方向には、図５（ｃ）に示すようにスタンド部材取付け具１２の正方形状頭部１２ｂの辺ｈ（図４（ａ）参照。）と同一の溝幅ｗ２（＝ｈ）であって、軸スライド用長孔部１３１と平行にその正方形状頭部１２ｂをスライドさせる頭部スライド用長孔部１３２が設けられている。
【００２５】
このように、スタンド部材押さえ具１２ｂの正方形状頭部１２ｂの形状を正面視、正方形状に形成したため、スタンド部材１３をスタンド部材押さえ具１２等によってまな板本体１１に取付けていても、まな板本体１１に対しスタンド部材１３をスライドすることができると共に、スタンド部材１３をまな板本体１１の長辺側側面１１ａと平行または９０度の角度に確実に設定できる。
【００２６】
そして、スタンド部材１３におけるまな板本体１１側と反対側の底側面１３ｃに形成した頭部スライド用長孔部１３２の一部には、図５（ｃ）等に示すようにスタンド部材押さえ具１２を中心にしてスタンド部材１３を回転させる際にスタンド部材押さえ具１２ｂの正方形状頭部１２ｂ２が回転できるように軸スライド用長孔部１３１の溝幅ｗ１および頭部スライド用長孔部１３２の溝幅ｗ２よりも大きい内径の直径Ｒの円弧形状を有する頭部回転用凹部１３３が設けられている。つまり、頭部回転用凹部１３３の直径Ｒは、スタンド部材押さえ具１２ｂの正方形状頭部１２ｂ２の正面視、正方形状の端面の対角線以上の長さとする。
【００２７】
これにより、スタンド部材１３をスタンド部材押さえ具１２等によってまな板本体１１に取付けていても、スタンド部材１３をスライドさせてスタンド部材押さえ具１２ｂの正方形状頭部１２ｂ２の位置にスタンド部材１３の頭部回転用凹部１３３を移動させた場合には、スタンド部材１３をスタンド部材押さえ具１２等を軸として回転させることができる。つまり、スタンド部材１３を軸スライド用長孔部１３１および頭部スライド用長孔部１３２に沿ってスタンド部材押さえ具１２ｂに対してスライドさせた際に、スタンド部材押さえ具１２ｂの直方体形状の正方形状頭部１２ｂ２が頭部回転用凹部１３３に位置したときのみ回転させることができ、正方形状頭部１２ｂ２が頭部回転用凹部１３３以外の頭部スライド用長孔部１３２に位置している場合には、回転できない。その結果、後述するようにまな板本体１１を立てる際には常にスタンド部材１３がまな板本体１１の長辺側側面１１ａに対し９０度の角度になるため、倒れ難いスタンド付まな板１を提供することができる。
【００２８】
また、図５（ａ），（ｃ）等に示すように、スタンド部材１３の軸スライド用長孔部１３１には、スタンド部材１３がスタント収容切欠部１１ｅに収容状態にあってスタンド部材押さえ具１２ｂが初期ピン位置にある場合、すなわちまな板本体１１に対しスタンド部材１３が図１や図２等に示すようにスタント収容切欠部１１ｅに収容状態に有る場合には、スタンド部材１３がスタンド収容切欠部１１ｅから勝手にスライドしないようにスタンド部材押さえ具１２ｂに当接するスライド防止用凸部１３１ａ，１３１ａが設けられている。
【００２９】
このため、図１や図２等に示すようにスタンド部材１３がスタント収容切欠部１１ｅに収容状態に有る場合には、スライド防止用凸部１３１ａ，１３１ａによってスタンド部材１３がスタンド収容切欠部１１ｅから勝手にスライドすることを防止できる。
【００３０】
その結果、まな板本体１１の使用時、すなわちスタンド部材１３を使用しない場合には、スタンド部材１３を安定した状態、すなわち多少の外力を加えてもスタンド部材１３がまな板本体１１に対し勝手にスライドしないような状態でまな板本体１１のスタンド収容切欠部１１ｅに収容することができる。
【００３１】
また、スタンド部材１３におけるまな板本体１１側とは反対側の設置面となる底側面１３ｃの長手方向の両側には、図５（ｂ）〜（ｄ）等に示すようにスタンド部材１３をスライドおよび回転させて使用してまな板本体１１を立てる際に、まな板本体１１のスタンド部材１３側の長辺側側面１１ａが流し台２等の表面に接触しないように側面浮かし用凸部１３ｃ１，１３ｃ１が設けられている。
【００３２】
そのため、後述する図６（ａ）〜（ｄ）や図７に示すようにスタンド部材１３をスライドおよび回転させて使用してまな板本体１１を立てた際には、スタンド部材１３の側面浮かし用凸部１３ｃ１，１３ｃ１のみが流し台２の表面に接触し、スタンド部材１３の底側面１３ｃ全体が流し台２の表面に接触することを防止できる。
【００３３】
その結果、まな板本体１１のスタンド部材１３側の長辺側側面１１ａが流し台２等の表面に接触することを防止でき、まな板本体１１を素早く乾燥させることができると共に、衛生状態を向上させることができる。
【００３４】
次に、実施形態１のスタンド付まな板１の使用方法について説明する。
【００３５】
（まな板本体１１の使用時）
まず、まな板本体１１の使用時には、図１や図２、さらには図６（ａ）に示すように、スタンド部材１３をまな板本体１１の表面および裏面、さらにはその長辺側側面１１ａや短辺側側面１１ｂより出っ張らないようにしておく。これにより、スタンド付まな板１の使用者である調理人は、スタンド部材１３を気にせずにまな板本体１１を使用して調理を行うことができる。
【００３６】
（まな板本体１１を使用せずに立てる場合）
次に、まな板本体１１を使用せずに、立てる場合には、まずスタンド部材１３を、図６（ａ）の矢印Ｃ方向、すなわち図６（ａ）上、左方向にスライドさせる。
【００３７】
そして、図６（ｂ）に示すようにスタンド部材押さえ具１２ｂの正方形状頭部１２ｂ２の位置にスタンド部材１３の頭部回転用凹部１３３が到達した場合には、スタンド部材１３を、図６（ｂ）の矢印Ｄ方向、すなわち図６（ｂ）上、時計回りに回転させる。
【００３８】
すると、スタンド部材１３がまな板本体１１に対し、図６（ｂ）の矢印Ｂ方向に回転して、図６（ｃ）に示すようにまな板本体１１の長辺側側面１１ａに対し９０度の角度になったところで回転を停止して、図６（ｃ）に示す矢印Ｅ方向、すなわち図６（ｃ）上、下方向にスライドさせる。
【００３９】
すると、スタンド部材１３がまな板本体１１の長辺側側面１１ａに対しスライドして、図６（ｄ）に示すようにスタンド部材押さえ具１２ｂの正方形状頭部１２ｂ２がまな板本体１１の頭部スライド用長孔部１３２から軸スライド用長孔部１３１に移動することになる。ここで、スタンド部材取付け具１２の正方形状頭部１２ｂの辺ｈが頭部スライド用長孔部１３２の溝幅ｗ２とほぼ同一幅であるため、スタンド部材押さえ具１２ｂの正方形状頭部１２ｂ２が軸スライド用長孔部１３１に位置する場合には、スタンド部材１３が回転しない。
【００４０】
その結果、実施形態１のスタンド付まな板１によれば、図６（ｄ）に示すように、スタンド部材１３がまな板本体１１の長辺側側面１１ａに対し９０度の状態を確実に保持することができ、倒れ難いスタンド付まな板１を提供することができる。また、図６（ｄ）に示すスタンド部材１３がまな板本体１１の長辺側側面１１ａに対し９０度の状態にある際に、スタンド部材１３がスタンド部材押さえ具１２ｂの正方形状頭部１２ｂ２から移動しないように、頭部スライド用長孔部１３２の内側に凸部（図示せず。）を設けたり、頭部スライド用長孔部１３２の内側をスタンド部材押さえ具１２ｂの正方形状頭部１２ｂ２の分だけ若干削って、スタンド部材１３がまな板本体１１の長辺側側面１１ａに対し図６（ｄ）に示す状態で安定するようにしても良い。
【００４１】
図７は、スタンド部材１３をまな板本体１１の長辺側側面１１ａに対し９０度回転させて流し台２の上面に立てた状態を示す図であり、図８は、図７におけるＦ部分の拡大図である。
【００４２】
図７および図８に示すようにスタンド部材１３をまな板本体１１の長辺側側面１１ａに対し９０度回転させて流し台２の上面に立てた場合には、スタンド部材１３の側面浮かし用凸部１３ｃ１，１３ｃ１によって底側面１３ｃ全体が流し台２の表面に接触することを防止できることがわかる。
【００４３】
その結果、実施形態１のスタンド付まな板１によれば、まな板本体１１のスタンド部材１３側の長辺側側面１１ａが流し台２等の表面に接触することを防止でき、まな板本体１１をより早く乾燥させることができると共に、衛生状態を向上させることができる。
【００４４】
実施の形態２．
実施形態１のスタンド付まな板１では、図１〜図８に示すようにスタンド部材取付け具１２をまな板本体１１の、長辺側側面１１ａと短辺側側面１１ｂとが交わる角部ではなく、角部から離間した位置に取り付けて説明したが、これでは、スタンド部材１３を回転させてもまな板本体１１の長辺側側面１１ａまたは短辺側側面１１ｂのいずれか一方の側面でしか立てることができない。なお、図１〜図８に示す実施形態１のスタンド付まな板１では、まな板本体１１の長辺側側面１１ａでのみ立てることができるが、まな板本体１１の短辺側側面１１ｂでは立てることができない。
【００４５】
そこで、実施形態２のスタンド付まな板１’では、まな板本体１１の長辺側側面１１ａ’および短辺側側面１１ｂ’の両方の側面で立てることができるよう、図９や図１０等に示すようにスタンド部材１３’を取り付けるスタンド部材押さえ具１２’を、まな板本体１１の長辺側側面１１ａ’の角部に設けたことを特徴とする。
【００４６】
そのため、実施形態２のスタンド付まな板１’では、実施形態１のスタンド付まな板１とはスタンド部材押さえ具１２’の取付け位置が異なるので、図９（ａ），（ｂ）や、図１０（ａ），（ｂ）、図１１（ａ）に示すようにスタンド部材１３’の頭部スライド用長孔部１３２’に対する頭部回転用凹部１３３’の位置が異なることになる。
【００４７】
また、実施形態２のスタンド付まな板１’では、まな板本体１１を長辺側側面１１ａ’および短辺側側面１１ｂ’の両方の側面で立てるため、図１０（ａ），（ｂ）に示すように、スタンド部材１３’の設置面となる底側面１３ｃおよび長側面１３ｂの長手方向の両側には、スタンド部材１３’をスライドおよび回転させて使用してまな板本体１１’を立てる際に、まな板本体１１’のスタンド部材１３’側の長辺側側面１１ａ’および短辺側側面１１ｂ’が流し台２等の表面に接触しないように側面浮かし用凸部１３ｃ１’，１３ｃ１’、１３ｃ１’，１３ｃ１’が設けられている。なお、それ以外の実施形態２のスタンド付まな板１’の構成は、実施形態１のスタンド付まな板１と同様である。
【００４８】
次に、実施形態２のスタンド付まな板１’の使用方法について説明する。
【００４９】
（まな板本体１１の使用時）
まず、まな板本体１１’の使用時には、図９（ａ），（ｂ）や図１０（ａ），（ｂ）、図１１（ａ）に示すように、スタンド部材１３’をまな板本体１１’の表面および裏面、さらにはその長辺側側面１１ａ’や短辺側側面１１ｂ’より出っ張らないようにしておく。これにより、調理人は、スタンド部材１３’を気にせずにまな板本体１１’を使用して調理を行うことができる。
【００５０】
（まな板本体１１’を使用せずに立てる場合）
次に、まな板本体１１’を使用せずに、立てる場合には、まずスタンド部材１３’を、図１１（ａ）の矢印Ｃ’方向、すなわち図１１（ａ）上、左方向にスライドさせる。
【００５１】
そして、図１１（ｂ）に示すようにスタンド部材押さえ具１２ｂ’の正方形状頭部１２ｂ２’の位置にスタンド部材１３’の頭部回転用凹部１３３’が到達した場合には、スタンド部材１３’を、図１１（ｂ）の矢印Ｄ’方向、すなわち図１１（ｂ）上、時計回りに回転させる。
【００５２】
すると、スタンド部材１３’がまな板本体１１’に対し、図１１（ｂ）の矢印Ｂ方向に回転して、図１１（ｃ）に示すようにまな板本体１１’の長辺側側面１１ａ’に対し９０度の角度になったところで回転を停止して、図１１（ｃ）に示す矢印Ｅ’方向、すなわち図１１（ｃ）上、上方向にスライドさせる。
【００５３】
すると、スタンド部材１３’がまな板本体１１’の長辺側側面１１ａ’に対しスライドして、図１１（ｄ）に示すようにスタンド部材押さえ具１２ｂ’の正方形状頭部１２ｂ２’がまな板本体１１’の頭部スライド用長孔部１３２’から軸スライド用長孔部１３１’に移動することになる。ここで、スタンド部材押さえ具１２ｂ’の正方形状頭部１２ｂ２’の辺ｈが頭部スライド用長孔部１３２’の溝幅ｗ２とはほぼ同一幅であるため、スタンド部材押さえ具１２ｂ’の正方形状頭部１２ｂ２’が軸スライド用長孔部１３１’に位置する場合には、スタンド部材１３’が回転しない。
【００５４】
その結果、実施形態２のスタンド付まな板１’によれば、図１１（ｄ）に示すように、スタンド部材１３’がまな板本体１１’の長辺側側面１１ａ’および短辺側側面１１ｂ’のいずれに対し９０度の状態を確実に保持することができ、まな板本体１１’の長辺側側面１１ａ’および短辺側側面１１ｂ’のいずれを底面にしても倒れ難いスタンド付まな板１’を提供することができる。
【００５５】
図１２は、スタンド部材１３’をまな板本体１１’の長辺側側面１１ａ’に対し９０度回転させて、長辺側側面１１ａ’を底面にして流し台２の上面に立てた状態を示す図である。また、図１３は、スタンド部材１３’をまな板本体１１’の長辺側側面１１ａ’に対し９０度回転させて、短辺側側面１１ｂ’を底面にして流し台２の上面に立てた状態を示す図である。
【００５６】
このように実施形態２のスタンド付まな板１’では、上記実施形態１のスタンド付まな板１と同様の効果が得られると共に、図９に示すようにスタンド部材１３’のスタンド部材取付け具１２’を、まな板本体１１の長辺側側面１１ａ’の角部に設けたため、スタンド部材１３’をスライドおよび回転させることにより、図１２や図１３に示すようにまな板本体１１’を長辺側側面１１ａ’および短辺側側面１１ｂ’の両方の側面で立てることができる。
【００５７】
その結果、実施形態２のスタンド付まな板１’によれば、台所や調理台２の上に鍋等の調理器具や食器等が数多く置かれてスペースが狭い場合でも、まな板本体１１’を臨機応変に長辺側側面１１ａ’を底面して立てたり、あるいは短辺側側面１１ｂ’を底面して立てることが可能となる。
【００５８】
また、実施形態２のスタンド付まな板１’では、スタンド部材１３’の設置面となる底側面１３ｃ’および長側面１３ｂ’の長手方向の両側には、側面浮かし用凸部１３ｃ１’，１３ｃ１’、１３ｃ１’，１３ｃ１’が設けられていため、図１２や図１３に示すようにまな板本体１１’を長辺側側面１１ａ’および短辺側側面１１ｂ’の両方の側面で立てた場合でも、まな板本体１１’の長辺側側面１１ａ’と短辺側側面１１ｂ’とが流し台２等の表面に接触することを防止できる。その結果、まな板本体１１’を長辺側側面１１ａ’および短辺側側面１１ｂ’の両方の側面で立てる場合でも、まな板本体１１を素早く乾燥させることができると共に、衛生状態を向上させることができる。
【符号の説明】
【００５９】
１，１’  スタンド付まな板
１１，１１’  まな板本体
１１ａ，１１ａ’  長辺側側面
１１ｂ，１１ｂ’  短辺側側面
１１ｃ  開口部
１１ｄ  穴部
１１ｅ，１１ｅ’  スタンド収容切欠部
１２，１２’  スタンド部材取付け具
１２ａ，１２ａ’  固定ネジ
１２ｂ，１２ｂ’  スタンド部材押さえ具
１２ｂ１，１２ｂ１’  中太軸部
１２ｂ２，１２ｂ２’  正方形状頭部
１２ｂ３，１２ｂ３’  長方形状挿入部
１２ｃ，１２ｃ’  スタンド部材受け具
１３，１３’  スタンド部材
１３ａ  上側面
１３ｂ  長側面
１３ｃ  底側面
１３ｃ１，１３ｃ１、１３ｃ１’，１３ｃ１’、１３ｃ２’，１３ｃ２’  側面浮かし用凸部
１３ｄ  左短側面
１３ｅ  右短側面
１３１，１３１’  軸スライド用長孔部
１３１ａ  スライド防止用凸部
１３２，１３２’  頭部スライド用長孔部
１３３，１３３’  頭部回転用凹部
２  流し台
【図１】
2014204890.tif 000003
【図２】
2014204890.tif 000004
【図３】
2014204890.tif 000005
【図４】
2014204890.tif 000006
【図５】
2014204890.tif 000007
【図６】
2014204890.tif 000008
【図７】
2014204890.tif 000009
【図８】
2014204890.tif 000010
【図９】
2014204890.tif 000011
【図１０】
2014204890.tif 000012
【図１１】
2014204890.tif 000013
【図１２】
2014204890.tif 000014
【図１３】
2014204890.tif 000015